(57)【特許請求の範囲】
【請求項１】
地中に埋設され上流側の流入口、下流側の流出口およびインバート部を備えた既設の既設公共桝内に配設され、この既設公共桝を補修する既設公共桝用補修カバーであって、
前記既設公共桝内に配設され、この既設公共桝のインバート部の両側部に両側先端縁を当接させてインバート部を上方から覆う略半円筒形状のカバー本体と、
このカバー本体の上方に設けられ、上方に向けて開口された掃除管受口と、
前記カバー本体の側方に設けられ、このカバー本体を前記既設公共桝内に配設した状態で、この既設公共桝の流入口と連通する流入口連通部と、
前記カバー本体の側方に設けられ、このカバー本体を前記既設公共桝内に配設した状態で、この既設公共桝の流出口と連通する流出口連通部と
を具備していることを特徴とした既設公共桝用補修カバー。
【請求項２】
既設公共桝内に配設されてカバー本体の掃除管受口に嵌合され、この掃除管受口を上方に向けて延出させる掃除管と、
この掃除管の上部に嵌合されてこの掃除管を閉塞する内蓋と
を具備していることを特徴とした請求項１記載の既設公共桝用補修カバー。
【請求項３】
流入口連通部および流出口連通部の少なくともいずれか一方には、この流入口連通部または流出口連通部をカバー本体の側方に向けて伸縮させる伸縮鍔体が進退可能に取り付けられている
ことを特徴とした請求項１または２記載の既設公共桝用補修カバー。
【請求項４】
カバー本体は、既設公共桝の内径寸法と略等しい外径寸法を有する
ことを特徴とした請求項１または２記載の既設公共桝用補修カバー。
【発明の詳細な説明】
【０００１】
【発明の属する技術分野】
本発明は、地中に埋設された既設公共桝を補修する既設公共桝用補修カバーに関する。
【０００２】
【従来の技術】
公共下水道が敷設されている地域には、各家庭の排水管路１の最下流の位置に、図９に示す既設公共桝２が地中に埋設された状態で取り付けられている。
【０００３】
この既設公共桝２は、従来、古くから公共下水道が敷設されているところでは、主に、大型、すなわち内径寸法が４５０ｍｍ以上のコンクリートにて円筒状に成形され、対向する各側面に流入口３および流出口４が開口形成された桝本体５を地中に埋設した後に、この桝本体５上に上部枠体６および蓋支持体７を順次積み上げて高さ寸法を地表面に合わせ、さらに、桝本体５内にモルタルを流し込んで、桝本体５の底部に凹溝状のインバート部８を形成し、このインバート部８で流入口３と流出口４とを連通している。
【０００４】
このため、この既設公共桝１は、桝本体５に上部枠体６および蓋支持体７を順次積み上げたものであり、さらに、桝本体５と上部枠体６と蓋支持体７との接合には、通常、モルタルが用いられて水密に固着されている。
【０００５】
そして、この既設公共桝２を長期間に渡り使用した場合などには、各接合部の接合に用いられたモルタルが剥離してしまい、これら各接合部には、外部から植物の根や雨水などが侵入してきてしまう。このため、これら各接合部を補修する必要がある。
【０００６】
【発明が解決しようとする課題】
しかしながら、この既設公共桝２を補修するためには、この既設公共桝２および排水管路１がそれぞれ地中に埋設され、さらに、住宅事情などにより、この既設公共桝２は、狭い場所に埋設されている場合が多い。このため、特に、地表面にコンクリートが打たれている場合などには、この既設公共桝２を補修する作業が容易ではないという問題を有している。
【０００７】
本発明は、このような点に鑑みなされたもので、既設公共桝の補修作業が容易にできる既設公共桝用補修カバーを提供することを目的とする。
【０００８】
【課題を解決するための手段】
請求項１記載の既設公共桝用補修カバーは、地中に埋設され上流側の流入口、下流側の流出口およびインバート部を備えた既設の既設公共桝内に配設され、この既設公共桝を補修する既設公共桝用補修カバーであって、前記既設公共桝内に配設され、この既設公共桝のインバート部の両側部に両側先端縁を当接させてインバート部を上方から覆う略半円筒形状のカバー本体と、このカバー本体の上方に設けられ、上方に向けて開口された掃除管受口と、前記カバー本体の側方に設けられ、このカバー本体を前記既設公共桝内に配設した状態で、この既設公共桝の流入口と連通する流入口連通部と、前記カバー本体の側方に設けられ、このカバー本体を前記既設公共桝内に配設した状態で、この既設公共桝の流出口と連通する流出口連通部とを具備しているものである。
【０００９】
そして、この構成では、地中に埋設された既設公共桝内のインバート部の両側部に、略半円筒形状のカバー本体の両側先端縁を当接させてインバート部を上方から覆うカバー本体を既設公共桝に配設することにより、カバー本体が既設公共桝のインバート部を上方から覆うとともに、流入口連通部および流出口連通部が既設公共桝の流入口および流出口とそれぞれ連通する。このため、既設公共桝内にカバー本体を配設するだけでこの既設公共桝が補修されるので、既設公共桝の補修作業が容易になる。
【００１０】
請求項２記載の既設公共桝用補修カバーは、請求項１記載の既設公共桝用補修カバーにおいて、既設公共桝内に配設されてカバー本体の掃除管受口に嵌合され、この掃除管受口を上方に向けて延出させる掃除管と、この掃除管の上部に嵌合されてこの掃除管を閉塞する内蓋とを具備しているものである。
【００１１】
そして、この構成では、既設公共桝内にカバー本体を配設した状態で、このカバー本体の掃除管受口に掃除管を嵌合すると、カバー本体の掃除管受口が上方向けて延出するので、カバー本体および掃除管外に土砂などが堆積した場合であっても、カバー本体内の点検および掃除が可能である。また、カバー本体の掃除管受口に嵌合された掃除管の上部に内蓋を嵌合することにより、この内蓋にて掃除管の上部が閉塞される。このため、掃除管の上部に対する土砂などの侵入が防止される。よって、カバー本体内に土砂などが侵入しなくなり、カバー本体を長期間に渡り正常に機能させられる。
【００１２】
請求項３記載の既設公共桝用補修カバーは、請求項１または２記載の既設公共桝用補修カバーにおいて、流入口連通部および流出口連通部の少なくともいずれか一方には、この流入口連通部または流出口連通部をカバー本体の側方に向けて伸縮させる伸縮鍔体が進退可能に取り付けられているものである。
【００１３】
そして、この構成では、カバー本体の流入口連通部および流出口連通部の少なくともいずれか一方に進退可能に取り付けられた伸縮鍔体を縮退させた状態で、既設公共桝内にカバー本体が配設できるので、既設公共桝内にカバー本体を配設する際の作業が容易になる。また、既設公共桝内にカバー本体を配設した状態で、伸縮鍔体を適宜に伸長させることにより、流入口連通部および流出口連通部にて既設公共桝の流入口および流出口が連結されるため、これら流入口および流出口を連結する際の作業が容易になるとともに、内径寸法が異なる既設公共桝であっても、カバー本体が取り付けられる。よって、既設公共桝の補修作業がさらに容易になる。
【００１４】
請求項４記載の既設公共桝用補修カバーは、請求項１または２記載の既設公共桝用補修カバーにおいて、カバー本体は、既設公共桝の内径寸法と略等しい外径寸法を有するものである。
【００１５】
そして、この構成では、既設公共桝の内径寸法と略等しい外径寸法をカバー本体が有するため、このカバー本体を既設公共桝内に配設することにより、この既設公共桝内の略全域を閉塞する。このため、カバー本体の取り付け位置等を調整する作業が容易になるので、カバー本体で既設公共桝を補修する際における補修作業が容易になる。
【００１６】
【発明の実施の形態】
以下、本発明の既設公共桝用補修カバーの第１の実施の形態の構成を図１ないし図３を参照して説明する。
【００１７】
図１ないし図３において、11aは既設公共桝用補修カバーで、この既設公共桝用補修カバー11aは、例えば、各家庭の排水管路21に接続され地中に埋設された排水桝などの既設の既設公共桝31内に配設され、この既設公共桝31を補修するためのものである。
【００１８】
そして、この既設公共桝31は、コンクリートにて略円筒状に成形された桝本体32を備えている。また、この桝本体32の上流側には、排水管路21と連通する流入口33が開口形成されており、この流入口33と対向する桝本体32の下流側には、この流入口33より径大な内径寸法を有し、排水管路21と連通する流出口34が開口形成されている。
【００１９】
また、桝本体32上には、下方側に位置する開口部がこの桝本体32と略同径の内径寸法を有し、上方に進むに連れて内周部が縮径された上部枠体35が、例えば接合剤としてのモルタルが用いられて同心状に載置した状態で水密に接続されている。この上部枠体35は、コンクリートにて略円筒状に成形されている。
【００２０】
さらに、この上部枠体35の上部側には、この上部枠体35の上部側の開口部と略同径円筒状にコンクリートにて成形された蓋支持体36が、モルタルが用いられて同心状に載置した状態で水密に接続されている。また、この蓋支持体36の上部側には、外部から既設公共桝31内を掃除または点検するための開口部37が開口されており、この開口部37には、鋳物などにて略円盤状に成形された図示しない蓋体が着脱可能に嵌合されている。
【００２１】
そして、既設公共桝31の桝本体32内には、モルタルが流し込められて、この桝本体32の流入口33と流出口34を連通する凹溝状のインバート部38が形成されている。また、このインバート部38の両側部には、側方に向かうに連れて徐々に上方に向けて傾斜する一対の傾斜部39がそれぞれ形成されている。さらに、このインバート部38には、桝本体32の流入口33側から流出口34側へ向けて徐々に下方に向けて傾斜する流水勾配が形成されている。
【００２２】
さらに、既設公共桝用補修カバー11aは、例えばＰＶＣ、すなわちポリ塩化ビニルなどの合成樹脂にて成形されており、略半円筒形状に成形されたカバー本体41aを備えている。このカバー本体41aは、このカバー本体41aが既設公共桝31内の傾斜部39上に配設された状態で、このカバー本体41aにて既設公共桝31のインバート部38が覆設できるように形成されている。
【００２３】
また、このカバー本体41aの両端部には、このカバー本体41aが既設公共桝31内に配設された状態で、既設公共桝31の流入口33および流出口34とそれぞれ連通する流入口連通部42aおよび流出口連通部43aがそれぞれ形成されている。そして、このカバー本体41aの上部略中央部には、上方に向けて突出した掃除管受口44aが開口されている。
【００２４】
そして、カバー本体41aの流入口連通部42aには、この流入口連通部42aを伸縮させる伸縮鍔体51が進退可能に取り付けられている。この伸縮鍔体51は、例えばＰＶＣ、すなわちポリ塩化ビニルなどの合成樹脂にて、流入口連通部42aの内径寸法と略同径の外径寸法を有する断面円弧状の平板状に成形されている。さらに、この伸縮鍔体51の先端部は、既設公共桝31の桝本体32の内径寸法と略等しい曲率を有する円弧状に形成されており、また、この伸縮鍔体51の先端部の外周部略中央には、この伸縮鍔体51を進退させる際に用いる突部50が、この先端部に沿って突設されている。
【００２５】
また、この伸縮鍔体51の外周面の周方向に沿って離間された位置には、ボルト52のねじ部53が挿通される略円形のねじ孔54が、例えば３個開口形成されており、さらに、流入口連通部42aの外周面の周方向に沿って離間された位置、すなわち、この流入口連通部42aに伸縮鍔体51を取り付けた状態で、この伸縮鍔体51の各ねじ孔54に連通する位置には、カバー本体41aに伸縮鍔体51の伸縮方向に長穴状のねじ挿通孔55が、例えば３個開口形成されている。
【００２６】
そして、伸縮鍔体51の内面側からボルト52のねじ部53が各ねじ孔54に挿通され、これら各ボルト52のねじ部53が流入口連通部42aの各ねじ挿通孔55に挿通され、さらに、これら各ボルト52のねじ部53に蝶ねじ56がそれぞれ取り付けられていることにより、この伸縮鍔体51にて流入口連通部42aが側方に向けて進退可能に形成されている。
【００２７】
また、カバー本体41aの掃除管受口44aには、この掃除管受口44aを上方に向けて延出させるための略円筒状の掃除管61が嵌合接着されている。この掃除管61は、例えばＰＶＣ、すなわちポリ塩化ビニルなどの合成樹脂にて成形されており、既設公共桝31内に配設されたカバー本体41aの掃除管受口44aに嵌合された状態で、この掃除管61全体が既設公共桝31内に配設される長さ寸法に形成されている。さらに、この掃除管61の周面には、既設公共桝31内に侵入した雨水などを掃除管61内に進水させる水抜孔62が開口形成されている。
【００２８】
そして、掃除管61の上方側には、カバー本体41aの掃除管受口44aを延出させた開口である掃除口63が開口しており、この掃除口63には、略円盤状に成形された内蓋64が着脱可能に嵌合されている。この内蓋64は、例えばＰＶＣ、すなわちポリ塩化ビニルなどの合成樹脂にて成形されており、この内蓋64の上面部には、この内蓋64を着脱する際に把持するための略円弧状の把持部65の両端部が接続された状態で一体的に形成されている。
【００２９】
次に、上記第１の実施の形態の作用を説明する。
【００３０】
各家庭の排水管路21に接続された既設公共桝31が、長期間に渡る使用により、ひび割れまたは各接合部の接合剤が剥離してしまい、この既設公共桝31の外部から雨水または植物の根などが侵入してしまう、または侵入してしまった場合には、まず、排水管路21内に流れ込む排水を停止させる。
【００３１】
次いで、既設公共桝31の開口部37から蓋体を取り外し、この既設公共桝31内を掃除する。このとき、既設公共桝31のインバート部38、傾斜部39および桝本体32を、特に注意して掃除し既設公共桝31内を乾燥させる。
【００３２】
そして、既設公共桝31内が乾燥した際には、この既設公共桝31内にカバー本体41aの両側先端縁をインバート部38の両側部の傾斜部39に当接させてカバー本体41aを配設する。この状態で、カバー本体41aにて既設公共桝31のインバート部38を覆うとともに、カバー本体41aの流出口連通部43aの先端側を桝本体32の内面部に当接させて、この流出口連通部43aを既設公共桝31の流出口34に連通させる。
【００３３】
さらに、カバー本体41aの流入口連通部42aの伸縮鍔体51を伸長させて、この伸縮鍔体51の先端部を桝本体32の内周面に密着させて、この伸縮鍔体51を既設公共桝31の流入口33に連通させる。そして、伸縮鍔体51に取り付けられたボルト52と、このボルト52に取り付けられた蝶ねじ56とを用いて伸縮鍔体51を流入口連通部42aに対して位置決め固定する。
【００３４】
その後、カバー本体41a、流出口連通部43aおよび伸縮鍔体51と、インバート部38、傾斜部39および桝本体32とが接触する部分に、塩化ビニル系の接合剤を用いて目地止め固定する。
【００３５】
そして、カバー本体41aの掃除管受口44aに掃除管61を嵌合接着し、さらに、この掃除管61の掃除口63に内蓋64を嵌合する。
【００３６】
次いで、既設公共桝31の開口部37から、この既設公共桝31内であるとともにカバー本体41aおよび掃除管61の外部に、充填材としてのモルタルを注入する。このとき、掃除管61の水抜孔62が埋まらない位置、すなわちカバー本体41a全体が埋設される高さ位置までモルタルを注入する。
【００３７】
そして、既設公共桝31の開口部37に蓋体を嵌合する。その後、この既設公共桝31が接続された排水管路21に排水を流入させる。
【００３８】
上述したように、上記第１の実施の形態によれば、既設公共桝31内にカバー本体41aを配設し、このカバー本体41aにて既設公共桝31のインバート部38を覆うとともに、このカバー本体41aの流出口連通部43aにて既設公共桝31の流出口34を連通し、さらに、伸縮鍔体51にて既設公共桝31の流入口33を連通することにより、既設公共桝31が補修できる。このため、このカバー本体41aを用いることにより、既設公共桝31の補修作業が簡単かつ素早くできる。
【００３９】
そして、カバー本体41aの流入口連通部42aに伸縮鍔体51を取り付けたことにより、流入口連通部42aに対して伸縮鍔体51を縮退させた状態で、既設公共桝31内にカバー本体41aが配設できる。このため、既設公共桝31に対するカバー本体41aの配設作業が容易にできる。
【００４０】
また、既設公共桝31内にカバー本体41aを配設した後に、伸縮鍔体51を適宜に伸長させることにより、この伸縮鍔体51にて既設公共桝31の桝本体32の内周面と密着させて流入口33を連通できる。このため、既設公共桝31の流入口33および流出口34の連通作業が容易かつ素早くできる。
【００４１】
さらに、既設公共桝31内にカバー本体41aを配設した状態で、このカバー本体41aの掃除管受口44aに掃除管61を嵌合接着すると、カバー本体41aの掃除管受口44aが上方に向けて延出するので、既設公共桝31内であるとともにカバー本体41a外に土砂などがある程度堆積した場合であっても、カバー本体41a内の点検および掃除ができる。
【００４２】
また、カバー本体41aの掃除管受口44aに嵌合された掃除管61の掃除口63に内蓋64を嵌合することにより、この内蓋64にて掃除管61が閉塞される。このため、既設公共桝31内であるとともにカバー本体41a外に土砂などが侵入した場合であっても、掃除管61に対する土砂などの侵入が防止できる。よって、カバー本体41a内に対する土砂などの侵入が防止でき、このカバー本体41aを長期間に渡り正常に機能させることができる。
【００４３】
さらに、掃除管61の周面に水抜孔62を開口形成したことにより、既設公共桝31内にカバー本体41aが配設され、このカバー本体41aの掃除管受口44aに掃除管61が嵌合接着され、さらにこの掃除管61の掃除口63に内蓋64が嵌合された状態で、この既設公共桝31内であるとともにカバー本体41aおよび掃除管61外に侵入した雨水などが、この水抜孔62から掃除管61内に進水し、カバー本体41aの流出口連結部43を介して既設公共桝31の流出口34へと流れていく。よって、既設公共桝31内であるとともにカバー本体41aおよび掃除管61外に侵入した雨水などの貯留が防止できる。
【００４４】
なお、上記第１の実施の形態では、既設公共桝31を破壊または撤去することなく、この既設公共桝31を補修しているが、このような構成に限定されることはなく、カバー本体41aにて既設公共桝31のインバート部38を覆うことにより、この既設公共桝31の流入口33と流出口34とが連通されて、既設公共桝31が補修される構成であればよい。
【００４５】
よって、例えば、図４および図５に示すように、まず、既設公共桝31の蓋支持体36の開口部37から図示しない蓋体を取り外し、この蓋支持体36および上部枠体35を撤去した後に、この既設公共桝31の桝本体32内にカバー本体41aを配設してこの既設公共桝31のインバート部38を覆うとともに流入口33と流出口34とを連通し、さらに、このカバー本体41aの掃除管受口44aに掃除管61を嵌合接着するとともに、この掃除管61の掃除口63に内蓋64を嵌合し、さらに、桝本体32内であるとともにカバー本体41aおよび掃除管61の周りにモルタルなどの充填材を注入する。
【００４６】
次いで、この掃除管61の掃除口63の外面が挿通した状態で、略平板円環状の受盤71を地中に埋設し、この受盤71上に円筒状の蓋嵌合体72を同心上に埋設した状態で載置し、この蓋嵌合体72の上方の蓋嵌合口73に円盤状の鋳物蓋74を着脱可能に嵌合することもできる。
【００４７】
また、流入口連通部42aにのみ伸縮鍔体51が取り付けられた構成について説明したが、流出口連通部43aにのみ伸縮鍔体51を取り付けた場合であっても、さらには、流入口連通部42aおよび流出口連通部43aの両方に伸縮鍔体51を取り付けた場合であっても、流入口連通部42aに取り付けた場合と同様の作用効果を奏することができる。
【００４８】
そして、既設公共桝31内に配設されたカバー本体41aの掃除管受口44aに掃除管61が嵌合され、この掃除管61の掃除口63に内蓋64が嵌合され、さらに、カバー本体41a、流出口連通部43aおよび伸縮鍔体51と、インバート部38、傾斜部39および桝本体32との接触部分が目地止めされた際には、既設公共桝31の開口部37から、この既設公共桝31内であるとともにカバー本体41aおよび掃除管61の周りに、モルタルが注入される場合について説明したが、モルタルの代わりに砂や残土などを用いてもよい。
【００４９】
次に、上記第２の実施の形態を図６ないし図８を参照して説明する。
【００５０】
この図６ないし図８に示す既設公共桝用補修カバー11bは、基本的には図４および図５に示す既設公共桝用補修カバー11aと同様であるが、略凸弧面状に形成されたカバー本体41bの対向する側部に、既設公共桝31の流入口33と連通する略円弧状の流入口連通部42bと、既設公共桝31の流出口34と連通する略円弧状の流出口連通部43bとがそれぞれ形成されているものである。
【００５１】
そして、カバー本体41bは、このカバー本体41bの外径寸法が、既設公共桝31の内径寸法と略等しく形成されている。また、このカバー本体41bの外周部には、各径方向に向けて突出するフランジ部81が形成されている。このフランジ部81は、カバー本体41bを既設公共桝31内に配設した状態で、この既設公共桝31の桝本体32の内周面に当接するように形成されている。
【００５２】
次に、上記第２の実施の形態の作用を説明する。
【００５３】
この図６ないし図８に示す既設公共桝用補修カバー11bは、基本的には図４および図５に示す既設公共桝用補修カバー11aの作用と同様である。
【００５４】
まず、既設公共桝31の蓋支持体36の開口部37から図示しない蓋体を取り外し、この蓋支持体36および上部枠体35を撤去した後に、桝本体32内にカバー本体41bを配設し、このカバー本体41bの流入口連通部42bおよび流出口連通部43bで既設公共桝31の流入口33と流出口34とをそれぞれ密着させて連通する。
【００５５】
このとき、桝本体32とカバー本体41bとの接触部分を、モルタルや接合剤などを用いて接合して、このカバー本体41bをインバート部38上に目地止め固定する。
【００５６】
次いで、カバー本体41bの掃除管受口44bに掃除管61を嵌合接着し、その後、この掃除管61の掃除口63に内蓋64を嵌合する。
【００５７】
上述したように、上記第２の実施の形態では、既設公共桝31内にカバー本体41bを配設することにより、既設公共桝31の流入口33と流出口34とが連通されて、この既設公共桝31が補修される。このため、図４および図５に示す既設公共桝用補修カバー11aと同様の効果を奏することができる。
【００５８】
また、既設公共桝31の桝本体32の内径寸法と略等しい外径寸法をカバー本体41bが有するため、このカバー本体41bを既設公共桝31内に配設することにより、この既設公共桝31のインバート部38の略全域を閉塞できる。このため、既設公共桝31を補修する際に、より広くインバート部38上を覆うことができるので、このカバー本体41bで既設公共桝31を補修した際に、より大きな内部容量を確保できる。よって、カバー本体41bの取り付け位置等を調整する作業が容易になるので、カバー本体41bで既設公共桝31を補修する際における補修作業を容易にできる。
【００５９】
さらに、カバー本体41bの外周部にフランジ部81を形成したことにより、このカバー本体41bを既設公共桝31内に配設した際に、このフランジ部81が既設公共桝31の桝本体32の内周面に当接する。このため、既設公共桝31、すなわちインバート部38に対するカバー本体41bの安定性を確保できる。
【００６０】
【発明の効果】
請求項１記載の既設公共桝用補修カバーによれば、既設公共桝内にカバー本体を配設することにより、このカバー本体が既設公共桝のインバート部を覆い、流入口連通部および流出口連通部が既設公共桝の流入口および流出口とそれぞれ連通して、既設公共桝が補修できるので、既設公共桝の補修作業が容易にできる。
【００６１】
請求項２記載の既設公共桝用補修カバーによれば、請求項１記載の既設公共桝用補修カバーの効果に加え、既設公共桝内に配設されたカバー本体の掃除管受口に掃除管を嵌合すると、この掃除管受口が上方向けて延出するので、カバー本体外に土砂などが堆積した場合であっても、カバー本体内の点検および掃除ができ、また、掃除管の上部に嵌合した内蓋にて掃除管の上部が閉塞できるので、掃除管に対する土砂などの侵入を防止できる。
【００６２】
請求項３記載の既設公共桝用補修カバーによれば、請求項１または２記載の既設公共桝用補修カバーの効果に加え、カバー本体の伸縮鍔体を縮退させた状態で、既設公共桝内にカバー本体を配設することにより、既設公共桝内にカバー本体が容易に配設でき、また、既設公共桝内にカバー本体を配設した状態で、伸縮鍔体を適宜に伸長させることにより、既設公共桝の流入口および流出口が連結されるため、これら流入口および流出口の連結作業を容易できるとともに、内径寸法が異なる既設公共桝であってもカバー本体を取り付けることができるので、既設公共桝の補修作業をさらに容易にできる。
【００６３】
請求項４記載の既設公共桝用補修カバーによれば、請求項１または２記載の既設公共桝用補修カバーの効果に加え、既設公共桝の内径寸法と略等しい外径寸法をカバー本体が有するため、このカバー本体を既設公共桝内に配設することにより、この既設公共桝内の略全域を閉塞できるので、カバー本体の取り付け位置等を調整する作業が容易になり、その結果、カバー本体で既設公共桝を補修する際における補修作業を容易にできる。
【図面の簡単な説明】
【図１】本発明の既設公共桝用補修カバーの第１の実施の形態の設置状態を示す断面図である。
【図２】同上既設公共桝用補修カバーの設置状態を示す断面図である。
【図３】同上既設公共桝用補修カバーを示す斜視図である。
【図４】同上既設公共桝用補修カバーの他の設置状態を示す断面図である。
【図５】同上既設公共桝用補修カバーの設置状態を示す断面図である。
【図６】本発明の第２の実施の形態の設置状態を示す断面図である。
【図７】同上既設公共桝用補修カバーの設置状態を示す断面図である。
【図８】同上既設公共桝用補修カバーを示す斜視図である。
【図９】従来の既設公共桝を示す断面図である。
【符号の説明】
11a，11b    既設公共桝用補修カバー
31    既設公共桝
33    流入口
34    流出口
38    インバート部
41a，41b    カバー本体
42a，42b    流入口連通部
43a，43b    流出口連通部
44a，44b    掃除管受口
51    伸縮鍔体
61    掃除管
64    内蓋
【図１】
0004219074.tif 000002
【図２】
0004219074.tif 000003
【図３】
0004219074.tif 000004
【図４】
0004219074.tif 000005
【図５】
0004219074.tif 000006
【図６】
0004219074.tif 000007
【図７】
0004219074.tif 000008
【図８】
0004219074.tif 000009
【図９】
0004219074.tif 000010